(57)【要約】【課題】旋回室の排出口より下流側にあるフィルタ体の外周へ気流発生を抑制して、圧損低滅可能かつフィルタ体外周への細塵の付着を抑制可能な集塵装置を提供する。【解決手段】この発明に係る集塵装置は、内部において含塵空気を旋回させて含塵空気からごみを分離し内部の空気を排出するための排出口１０５が形成された旋回室１１１と、排出口１０５の下流側に設けられたフィルタ室８９と、フィルタ室８９の内部に収容されるフィルタ体８１と、旋回室１１１とフィルタ室８９とを仕切り排出口１０５が配置された仕切部材８３と、仕切部材８３とフィルタ室８９の内壁との間をシールする第１のシール部１２１と、仕切部材８３とフィルタ体８１との間をシールする第２のシール部１２２と、を備える。【選択図】図１３
2019150120.tif 000002
【特許請求の範囲】
【請求項１】
内部において含塵空気を旋回させて含塵空気からごみを分離し、内部の空気を排出するための排出口が形成された旋回室と、
前記排出口の下流側に設けられたフィルタ室と、
前記フィルタ室の内部に収容されるフィルタ体と、
前記旋回室と前記フィルタ室とを仕切り、前記排出口が配置された仕切部材と、
前記仕切部材と前記フィルタ室の内壁との間をシールする第１のシール部と、
前記仕切部材と前記フィルタ体との間をシールする第２のシール部と、を備えた集塵装置。
【請求項２】
前記第１のシール部は、第１の外径寸法を有する環状を呈し、
前記第２のシール部は、前記第１の外径寸法より小さい第２の外径寸法を有する環状を呈する請求項１に記載の集塵装置。
【請求項３】
前記第１のシール部は、
前記仕切部材に取り付けられ、
先端部が前記仕切部材から前記フィルタ室側に斜めに突出して前記フィルタ室の内壁に当接する請求項２に記載の集塵装置。
【請求項４】
前記第２のシール部は、
前記仕切部材に取り付けられ、
先端部が前記仕切部材から前記フィルタ体の外周側に斜めに突出して前記フィルタ体に当接する請求項２又は請求項３に記載の集塵装置。
【請求項５】
前記第１のシール部及び前記第２のシール部は、一体に形成されている請求項１から請求項４のいずれか一項に記載の集塵装置。
【請求項６】
請求項１から請求項５のいずれか一項に記載の集塵装置と、
前記旋回室内で含塵空気を旋回させる空気流を生成する送風機と、を備えた電気掃除機。
【発明の詳細な説明】
【技術分野】
【０００１】
この発明は、集塵装置及び電気掃除機に関するものである。
【背景技術】
【０００２】
円筒形状の容器本体と、容器本体よりも短い円筒形状を呈して容器本体内に収納されて容器本体との間に環状の分離室を仕切る第１の濾過フィルタ部と、分離室の開放端を塞ぐ蓋壁と、蓋壁と第１の濾過フィルタ部との間に設けられ、分離室から第１の濾過フィルタ部の二次側への塵埃の漏れを妨げるシール部と、蓋壁の開口から排気風路へ流れ込む空気を濾過する第２の濾過フィルタ部と、を備えた電気掃除機の集塵装置が知られている（例えば、特許文献１参照）。
【先行技術文献】
【特許文献】
【０００３】
【特許文献１】特開２０１４−１７６５０３号公報
【発明の概要】
【発明が解決しようとする課題】
【０００４】
しかしながら、特許文献１に示されるような電気掃除機の集塵装置においては、分離室（旋回室）の開放端を塞ぐ蓋壁の開口（すなわち旋回室の排出口）から排気風路へ流れ込む空気が、第２の濾過フィルタ部（フィルタ体）を通過せずに第２の濾過フィルタ部（フィルタ体）の外周に回り込み、圧損が生じてしまう。また、第２の濾過フィルタ部（フィルタ体）の外周に細塵が付着してしまう。
【０００５】
この発明は、このような課題を解決するためになされたものである。その目的は、旋回室の排出口より下流側にあるフィルタ体の外周へ気流発生を抑制して、圧損を低滅できるとともにフィルタ体外周への細塵の付着を抑制可能な集塵装置及び電気掃除機を得ることにある。
【課題を解決するための手段】
【０００６】
この発明に係る集塵装置は、内部において含塵空気を旋回させて含塵空気からごみを分離し、内部の空気を排出するための排出口が形成された旋回室と、前記排出口の下流側に設けられたフィルタ室と、前記フィルタ室の内部に収容されるフィルタ体と、前記旋回室と前記フィルタ室とを仕切り、前記排出口が配置された仕切部材と、前記仕切部材と前記フィルタ室の内壁との間をシールする第１のシール部と、前記仕切部材と前記フィルタ体との間をシールする第２のシール部と、を備える。
【０００７】
また、この発明に係る電気掃除機は、上記のように構成された集塵装置と、旋回室内で含塵空気を旋回させる空気流を生成する送風機と、を備える。
【発明の効果】
【０００８】
この発明に係る集塵装置及び電気掃除機によれば、旋回室の排出口より下流側にあるフィルタ体の外周へ気流発生を抑制して、圧損を低滅できるとともにフィルタ体外周への細塵の付着を抑制可能であるという効果を奏する。
【図面の簡単な説明】
【０００９】
【図１】この発明の実施の形態１に係る集塵装置を備えた電気掃除機の斜視図である。
【図２】この発明の実施の形態１に係る電気掃除機の本体の側面図である。
【図３】この発明の実施の形態１に係る電気掃除機の本体の断面図である。
【図４】この発明の実施の形態１に係る電気掃除機の本体に集塵装置を着脱する途中の状態を示す図である。
【図５】この発明の実施の形態１に係る集塵装置の斜視図である。
【図６】この発明の実施の形態１に係る集塵装置の分解斜視図である。
【図７】この発明の実施の形態１に係る集塵装置の側面図である。
【図８】この発明の実施の形態１に係る集塵装置の上面図である。
【図９】図７中に示す断面Ａ−Ａによる集塵装置の断面図である。
【図１０】図８中に示す断面Ｂ−Ｂによる集塵装置の断面図である。
【図１１】この発明の実施の形態１に係る集塵装置が備える仕切部材、排出部及びスポンジフィルタの斜視図である。
【図１２】この発明の実施の形態１に係る集塵装置が備える仕切部材、排出部及びスポンジフィルタの断面図である。
【図１３】この発明の実施の形態１に係る集塵装置の要部を拡大して示す断面図である。
【図１４】この発明の実施の形態１に係る集塵装置が備える仕切部材及び排出部の斜視図である。
【図１５】この発明の実施の形態１に係る集塵装置が備える流入部ケースの要部の斜視図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１から図１５は、この発明の実施の形態１に係るもので、図１は集塵装置を備えた電気掃除機の斜視図、図２は電気掃除機の本体の側面図、図３は電気掃除機の本体の断面図、図４は電気掃除機の本体に集塵装置を着脱する途中の状態を示す図、図５は集塵装置の斜視図、図６は集塵装置の分解斜視図、図７は集塵装置の側面図、図８は集塵装置の上面図、図９は図７中に示す断面Ａ−Ａによる集塵装置の断面図、図１０は図８中に示す断面Ｂ−Ｂによる集塵装置の断面図、図１１は集塵装置が備える仕切部材、排出部及びスポンジフィルタの斜視図、図１２は集塵装置が備える仕切部材、排出部及びスポンジフィルタの断面図、図１３は集塵装置の要部を拡大して示す断面図、図１４は集塵装置が備える仕切部材及び排出部の斜視図、図１５は集塵装置が備える流入部ケースの要部の斜視図である。
【００１２】
以下の説明では、塵埃及びその他のゴミを総称して単に「塵埃」と呼ぶ場合がある。また、塵埃が混じった空気を「含塵空気」と呼ぶ場合がある。そして、塵埃が取り除かれた空気を「清浄空気」と呼ぶ場合がある。
【００１３】
この発明の実施の形態１に係る集塵装置を備えた電気掃除機１は、例えばコードレスタイプの縦型電気掃除機である。図１に示すように、電気掃除機１は、主な構成要素として、本体３、管体４及び吸込具５を備えている。図２及び図４に示すように、本体３は、ハンドル１５、外郭部１６及び集塵部１７を備えている。ハンドル１５は、電気掃除機１の使用中に使用者が手で握る部位である。使用者は、ハンドル１５を握ることで電気掃除機１の本体３を把持できる。
【００１４】
外郭部１６は、本体３の外郭すなわち外側の覆いをなす部材である。本体３の外郭部１６には、図３に示すように、電動送風機２３及びバッテリ部１９が内蔵されている。電動送風機２３は電気掃除機１の吸引風を生成するためのものである。バッテリ部１９は、電動送風機２３を駆動するための電池を含んでいる。
【００１５】
外郭部１６は、ケース部１８及び接続管部２０を備えている。接続管部２０は、管体４が着脱可能に連結される中空筒状の部材である。接続管部２０は、塵埃を吸い込むための接続口２９を有する。接続口２９は、接続管部２０の一端に形成された開口である。接続管部２０の内部には、接続口２９を通過した含塵空気の気流を集塵部１７へ導く風路が形成されている。接続管部２０の他端には、ハンドル１５の一端が外見上連続するようにして配置されている。ハンドル１５の他端側には、操作部２２が設られている。
【００１６】
集塵部１７は、この発明の実施の形態１に係る集塵装置である。集塵部１７は、電動送風機２３が生成した吸引風により本体３に吸い込んだ含塵空気中の塵埃を捕集するためのものである。図４に示すように、集塵部１７は、本体３に対し着脱可能に取り付けられている。
【００１７】
集塵部１７の後述する集塵容器８７の底部には、凹部が形成されている。また、集塵部１７には、後述するようにレバー部９４が設けられている。そして、図３に示すように、接続管部２０には凸部３６が形成されている。集塵部１７を本体３に取り付ける際には、まず、集塵部１７の凹部を本体の凸部３６に引っかける。そして、この凹部と凸部３６の接点を支点にして、集塵部１７を回動させ、レバー部９４をケース部１８側に掛けることで、集塵部１７が本体３に固定される。
【００１８】
図５に示すように、集塵部１７は、全体として円柱状の外観を有する。後述するように、この実施の形態に係る集塵部１７は、サイクロン分離装置を有している。サイクロン分離装置とは、電動送風機２３が生成した空気流により含塵空気を内部で旋回させて含塵空気からごみを分離する装置である。
【００１９】
図２に示すように、外郭部１６は、排気部２１を備える。排気部２１は、外郭部１６に形成された開口である。集塵部１７にて塵埃が取り除かれた気流は、排気部２１から本体３の外部へ排出される。
【００２０】
電動送風機２３は、ハンドル１５に設けられた操作部２２に対する操作に応じて駆動する。電動送風機２３が駆動すると、集塵部１７及び接続管部２０の内部に吸引力が作用し、接続口２９から含塵空気が吸い込まれる。接続口２９に吸い込まれた含塵空気は、接続管部２０を通過して集塵部１７の内部に取り込まれる。集塵部１７では、含塵空気から塵埃が分離される。集塵部１７から排出された清浄空気は、電動送風機２３を通過する。電動送風機２３を通過した清浄空気は、排気部２１から本体３の外部に排出される。
【００２１】
次に、この実施の形態に係る集塵装置である集塵部１７の構成について説明する。図６に示すように、集塵部１７は、主要な構成部材として、フィルタ体８１、流入部ケース８２、仕切部材８３、排出部８４、円錐部８５、隔壁部８６及び集塵容器８７を備えている。
【００２２】
図７及び図８に示すように、流入部ケース８２には、流入口１０１が形成されている。流入部ケース８２の側面は、円弧面１０２とストレート面１０３とからなる。流入部ケース８２は、特に図８に示すように、上面視でＤ字状を呈する。流入口１０１は、ストレート面１０３に配置される。流入口１０１は、含塵空気を集塵部１７の内部に流入させるための開口である。流入部ケース８２には、レバー部９４が設けられている。レバー部９４は、集塵部１７を本体３に取り付けた際に本体３のケース部１８と係合する部位である。
【００２３】
フィルタ体８１は、流入部ケース８２内の上部に形成されたフィルタ室８９内に着脱可能に収容される。図８に示すように、フィルタ体８１は、枠体９２、プリーツフィルタ９１及びパッキン９３を備える。枠体９２は、上面視で流入部ケース８２と相似なＤ字状を呈する。パッキン９３は、枠体９２の上面外周に配置されている。パッキン９３は、本体３の吸引動作時に本体の後述するケース部１８に密着する。
【００２４】
仕切部材８３は、流入部ケース８２内におけるフィルタ体８１の下方に着脱可能に収容される。仕切部材８３は、集塵部１７を適切に組み立てた状態で、フィルタ室８９と後述する旋回室１１１とを仕切る部材である。また、仕切部材８３は、流入部ケース８２の流入口１０１から流入した含塵空気を円錐部８５に導くための部材でもある。
【００２５】
仕切部材８３は、図９から図１４に示すように、案内板１０６、天面部１０７及びシール部材１２０を備える。案内板１０６は、流入口１０１から流入した含塵空気を後述する旋回室１１１に導く部位である。天面部１０７は、集塵部１７を適切に組み立てた状態で、後述する旋回室１１１の上面となる。シール部材１２０は、天面部１０７の上面外周に配置されている。シール部材１２０は、集塵部１７を適切に組み立てた状態で、流入部ケース８２の内壁に密着する。天面部１０７とシール部材１２０により、後述する旋回室１１１内の含塵空気が後述する排出部８４を通過することなくフィルタ体８１側へと漏出することを防いでいる。
【００２６】
図９、図１０、図１２及び図１３に示すように、集塵部１７を適切に組み立てた状態で、流入部ケース８２と仕切部材８３との間には、流入口１０１と旋回室１１１の内部とを連通する流入風路１０４が形成される。
【００２７】
図１０に示すように、円錐部８５は、主に旋回室１１１の側壁となる部材である。円錐部８５は、集塵部１７を適切に組み立てた状態で、仕切部材８３の下側に配置される。旋回室１１１は、流入口１０１から流入した含塵空気を旋回させて含塵空気から塵埃を遠心分離するための室である。円錐部８５は、主要部分は倒立した円錐形状を呈する。円錐部８５の側壁には、第１の開口１１２が形成されている。円錐部８５の底部には、第２の開口１１３が形成されている。なお、円錐部８５の底部とは、前述した倒立した円錐形状の頂点部分にあたる。第１の開口１１２及び第２の開口１１３は、含塵空気から遠心分離された塵埃を旋回室１１１の外部に排出するための開口である。
【００２８】
排出部８４は、円筒もしくは円錐形状、又は、円筒形と円錐形とを組み合わせた形状を呈する。集塵部１７を適切に組み立てた状態で、排出部８４は、円錐部８５の内側に配置される。排出部８４の下側の側壁の一部には、複数の微細孔が形成されている。排出部８４の上端部には、排出口１０５が形成されている。排出口１０５は、旋回室１１１の内部の空気を旋回室１１１の外部に排出するための開口である。集塵部１７を適切に組み立てた状態で、排出部８４の排出口１０５は、仕切部材８３の天面部１０７の中央に配置される。仕切部材８３の天面部１０７及び排出部８４の排出口１０５と、フィルタ体８１との間には、スポンジフィルタ９０が配置される。
【００２９】
集塵容器８７は、有底の円筒形状を呈する。集塵容器８７は、集塵部１７を適切に組み立てた状態で、円錐部８５の外側に配置される。集塵容器８７の底面の外側には、図示しない凹部が形成されている。集塵部１７を適切に組み立てた状態で、レバー部９４と凹部とは、集塵部１７の中心に対して反対側に配置される。円錐部８５と集塵容器８７とは、着脱可能に組み合わされる。
【００３０】
集塵容器８７の内側で、かつ、円錐部８５の外側の空間は、集塵室になっている。集塵室は、旋回室１１１で含塵空気から遠心分離された塵埃を捕集する空間である。集塵容器８７の内側で、かつ、円錐部８５の外側には、隔壁部８６が配置される。集塵室は、この隔壁部８６により、第１の集塵室１１４及び第２の集塵室１１５の２つに区画されている。第１の集塵室１１４は、第２の集塵室１１５の外側に配置される。したがって、第２の集塵室１１５は、第１の集塵室１１４の内側に配置される。
【００３１】
第１の集塵室１１４は、第１の開口１１２を介して旋回室１１１と通じている。第２の集塵室１１５は、第２の開口１１３を介して旋回室１１１と通じている。なお、集塵容器８７は少なくとも一部に透明な素材を用いるとよい。このようにすることで、外側からの集塵容器８７内の視認性に優れ、塵埃の蓄積量を確認できるため、ごみ捨て時期を把握しやすい。
【００３２】
排出部８４、円錐部８５及び集塵容器８７は、いずれもそれぞれの中心軸に垂直な断面が円形である。そして、排出部８４、円錐部８５及び集塵容器８７の各中心軸は、全てが平行になるように配置される。排出部８４と円錐部８５の中心軸は一致するが、集塵容器８７の中心軸とは一致しない。
【００３３】
前述したように、本体３の電動送風機２３が動作すると、吸引風が発生し、接続口２９及び接続管部２０から集塵部１７内に含塵空気が吸い込まれる。この際、含塵空気は流入口１０１から集塵部１７内に流入する。流入口１０１を通過した含塵空気は、流入風路１０４を通り旋回室１１１内に流入する。この際、含塵空気は、円錐部８５の内面、すなわち旋回室１１１を形成する側壁に沿うように旋回室１１１にその接線方向又は円周方向から流入する。
【００３４】
旋回室１１１に流入した空気は、旋回室１１１の側壁に沿って予め設定された旋回方向に回り、旋回室１１１内で旋回気流を形成する。この旋回気流は、中心軸近傍の強制渦領域とその外側の自由渦領域とを形成しながら、その経路構造と重力とによって下向きに流れていく。
【００３５】
旋回室１１１内の空気、すなわち前述の旋回気流に含まれるごみには、遠心力が作用する。例えば繊維ごみ及び毛髪といった比較的嵩の大きなごみαは、作用する遠心力によって円筒部に押し付けられながら落下する。このため、ごみαは、第１の開口１１２の高さに達すると第１の開口１１２を通過する。第１の開口１１２を通過したごみαは、第１の集塵室１１４に送られる。第１の集塵室１１４には、ごみαとともにわずかながら旋回気流の一部も流入する。流入した気流は第１の集塵室１１４内を旋回する。
【００３６】
第１の開口１１２から第１の集塵室１１４に進入しなかったごみは、旋回室１１１内の気流に乗って旋回しながら下方に移動する。砂ごみ及び細かい繊維ごみといった比較的嵩の小さなごみβは、第２の開口１１３を通過する。そして、ごみβは、第２の集塵室１１５に落下して捕捉される。
【００３７】
旋回室１１１内の旋回気流は、旋回室１１１の最下部に達するとその進行方向を上向きに変え、旋回室１１１の中心軸に沿って上昇する。この上昇気流を形成する空気からはごみα及びごみβが除去されている。ごみα及びごみβが取り除かれた清浄空気は、排出部８４の微細口を通過して旋回室１１１から流出する。排出部８４を通過した空気は、排出口１０５からフィルタ室８９内へと流入する。フィルタ室８９内へと流入した空気は、スポンジフィルタ９０とプリーツフィルタ９１とをこの順序で通過して、集塵部１７の外へ排出される。
【００３８】
その後、清浄空気は、外郭部１６内の電動送風機２３を通過する。そして、清浄空気は、排気部２１から本体３の外部に吹き出される。この際、排気部２１からの空気の吹き出し方向は、接続管部２０と平行な方向となる。
【００３９】
以上のように構成された集塵部１７（集塵装置）について、旋回室１１１よりも下流側に着目して、さらに詳しく説明する。
【００４０】
図１０及び図１３に示すように、流入部ケース８２は、旋回室１１１の上側部分及びフィルタ室８９の外郭を形成する。流入部ケース８２の内側には、仕切部材８３が配置される。この仕切部材８３の特に天面部１０７により、旋回室１１１とフィルタ室８９とが仕切られている。
【００４１】
仕切部材８３の天面部１０７の中央には開口が形成されている。この天面部１０７には開口には、排出部８４が取り付けられる。したがって、仕切部材８３の天面部１０７の中央には、排出部８４の上端に形成された排出口１０５が配置される。排出口１０５は、旋回室１１１の内部の空気を排出するための開口である。したがって、フィルタ室８９は、排出口１０５の下流側に設けられる。
【００４２】
そして、フィルタ室８９の内部には、フィルタ体８１が収容される。前述したように、フィルタ体８１は、枠体９２を備えている。枠体９２は中空な筒状の部材である。枠体９２の外径は、フィルタ室８９の内径より小さい。枠体９２の内側には、プリーツフィルタ９１が挿入されている。
【００４３】
図１１に示すように、仕切部材８３の天面部１０７には、シール部材１２０が取り付けられている。シール部材１２０は環状の弾性体で構成されている。シール部材１２０は、流入部ケース８２の形状に合わせた形状である。前述したように流入部ケース８２は、円形の一部が直線状に切り欠かれたＤ形状を呈している。このため、シール部材１２０もＤ形の環状を呈する。
【００４４】
図１１及び図１２に示すように、シール部材１２０は、第１のシール部１２１と第２のシール部１２２とを備えている。つまり、この実施の形態では、第１のシール部１２１及び第２のシール部１２２は、一体に形成されている。
【００４５】
第１のシール部１２１は、第１の外径寸法を有するＤ形の環状を呈する。第２のシール部１２２は、第２の外径寸法を有するＤ形の環状を呈する。そして、第２の外径寸法は、第１の外径寸法より小さい。
【００４６】
図１３に示すように、以上のように構成されたシール部材１２０を有する仕切部材８３が流入部ケース８２内に入れられると、第１のシール部１２１の外縁部が流入部ケース８２の内周面に密着する。第１のシール部１２１が密着する流入部ケース８２の内周面は、フィルタ室８９の内壁でもある。したがって、第１のシール部１２１は、仕切部材８３とフィルタ室８９の内壁との間をシールする。また、フィルタ室８９内にフィルタ体８１が配置されると、第２のシール部１２２の先端側は、フィルタ体８１の枠体９２の下端部に密着する。したがって、第２のシール部１２２は、仕切部材８３とフィルタ体８１との間をシールする。
【００４７】
つまり、まず、第１のシール部１２１によって、旋回室１１１から直接的にフィルタ室８９内のフィルタ体８１の外周に気流及び細塵が漏れることを抑制している。そして、さらに、第２のシール部１２２により、排出口１０５を通過した細塵を含む気流がフィルタ体８１の外周に回り込むことを抑制している。したがって、これらの第１のシール部１２１と第２のシール部１２２とにより、旋回室１１１の排出口１０５より下流側にあるフィルタ体８１の外周へ気流発生を抑制して、圧損を低滅できるとともにフィルタ体８１の外周への細塵の付着を抑制可能である。このため、清潔に使用でき、使い勝手がよい。
【００４８】
また、この際、第１のシール部１２１と第２のシール部１２２とは、シール部材１２０として一体に形成されている。このため、１つのシール部材１２０で旋回室１１１からの直接的なフィルタ室８９内への気流の漏洩と、旋回室１１１の排出口１０５を通過した気流のフィルタ体８１の外周への漏洩の両方を抑制できる。
【００４９】
特に図１３に示すように、第１のシール部１２１の先端部は、仕切部材８３からフィルタ室８９側に斜めに突出してフィルタ室８９の内壁に当接している。電気掃除機１の動作中には、フィルタ室８９内よりも旋回室１１１内の方が負圧になる。したがって、この圧力差により第１のシール部１２１に働く力は、第１のシール部１２１をフィルタ室８９の内壁により強く密着させるように作用する。このため、第１のシール部１２１によるシール性能をより向上できる。
【００５０】
なお、本実施の形態では第１のシール部１２１を直線状の形状で図示したが、直線状に限定するものではなく、外側に膨らむような湾曲状であってもよい。
【００５１】
また、特に図１３に示すように、第２のシール部１２２の先端部は、仕切部材８３からフィルタ体８１の外周側に斜めに突出してフィルタ体８１に当接している。電気掃除機１の動作中には、フィルタ体８１の外側よりフィルタ体８１の内側の方が負圧になる。したがって、この圧力差により第２のシール部１２２に働く力は、第２のシール部１２２をフィルタ体８１の下端部の外周により強く密着させるように作用する。このため、第２のシール部１２２によるシール性能をより向上できる。
【００５２】
なお、図１４及び図１５に示すように、旋回室１１１の側壁として仕切部材８３と流入部ケース８２とが接合される部分にはめ合い構造を設けるようにしてもよい。具体的に例えば、図１４に示すように、仕切部材８３の案内板１０６の下端面には、線状突起部１３１が形成されている。また、この線状突起部１３１に対応して、流入部ケース８２には溝部１３２が形成されている。
【００５３】
そして、図１３に示すように、流入部ケース８２内に仕切部材８３が適切に配置されると、案内板１０６の線状突起部１３１が流入部ケース８２の溝部１３２の内側にはまる。このようにすることで、仕切部材８３と流入部ケース８２とが接合されて形成される旋回室１１１の側壁に隙間ができることを抑制できる。
【符号の説明】
【００５４】
１    電気掃除機
３    本体
４    管体
５    吸込具
１５    ハンドル
１６    外郭部
１７    集塵部
１８    ケース部
１９    バッテリ部
２０    接続管部
２１    排気部
２２    操作部
２３    電動送風機
２４    制御部
２９    接続口
３６    凸部
８１    フィルタ体
８２    流入部ケース
８３    仕切部材
８４    排出部
８５    円錐部
８６    隔壁部
８７    集塵容器
８９    フィルタ室
９０    スポンジフィルタ
９１    プリーツフィルタ
９２    枠体
９３    パッキン
９４    レバー部
９５    レバー
１０１    流入口
１０２    円弧面
１０３    ストレート面
１０４    流入風路
１０５    排出口
１０６    案内板
１０７    天面部
１１１    旋回室
１１２    第１の開口
１１３    第２の開口
１１４    第１の集塵室
１１５    第２の集塵室
１２０    シール部材
１２１    第１のシール部
１２２    第２のシール部
１３１    線状突起部
１３２    溝部
【図１】
2019150120.tif 000003
【図２】
2019150120.tif 000004
【図３】
2019150120.tif 000005
【図４】
2019150120.tif 000006
【図５】
2019150120.tif 000007
【図６】
2019150120.tif 000008
【図７】
2019150120.tif 000009
【図８】
2019150120.tif 000010
【図９】
2019150120.tif 000011
【図１０】
2019150120.tif 000012
【図１１】
2019150120.tif 000013
【図１２】
2019150120.tif 000014
【図１３】
2019150120.tif 000015
【図１４】
2019150120.tif 000016
【図１５】
2019150120.tif 000017